(57)【要約】      （修正有）【課題】パラシュートの中に重しを入れたスティックと糸を押し込み、スティックとパラシュートを一緒に持って、スイングして投げ上げると、スティック内の重しが弾頭となってパラシュートを吹流して上空に達する。上空でパラシュートが離脱して開傘し、浮遊落下する投げ上げパラシュート玩具を得る。【解決手段】パラシュート１に軽量で中空体の短管でなるスティック３を複数の糸２を介して吊り下げ、このスティック３の中に、重しとなる水６やボウル１６を入れ、容易に移動可能に封入する。【選択図】  図１
2004313686.tif 000002
【特許請求の範囲】
【請求項１】
パラシュート（１）に複数の糸（２）を介して、中空体からなるステイック（３．１３．２３）をパラシュート（１）の中央部に吊下して取り付ける。  ステイック（３．１３．２３）の中には、流動可能な重し（６．１６）を封入した投げ上げパラシュート玩具。
【請求項２】
水（６）を重しとしたステイック（１３）の下端には、弾性体からなるスポイド（１４）を取り付け、上端に調整口（１５）を設ける。この調整口の上にバルーン（１７）を被せて装着し、水と空気を封入する。その上、バルーン（１７）を包込む緩衝カバー（１５）を取り付けた請求項１記載の投げ上げパラシュート玩具。
【請求項３】
ステイック（１３）の上部管側に吐出口（２０）を設け、この外側に弾性体よりなるチューブ（２１）を被せ、逆止弁とし、さらに、バルーン（１７）を被せて装着する請求項２記載の投げ上げパラシュート玩具。
【請求項４】
パラシュート（１）の中央の下部にガイドプレート（３３）を装着し、その中央にガイド糸（３２）を取り付け、ガイド糸（３２）の他端はステイック（３．１３．２３）の緩衝カバー（５．１５）に取り付ける。
ガイド糸（３２）の長さは、パラシュート（１）の開傘時に、その頂部を軽くガイドプレート（３３）で緊縮に係留する長さにした請求項１、２および請求項３記載の投げ上げパラシュート玩具。
【請求項５】
ガイドプレート（３３）の下にステイック（３．１３．２３）の緩衝カバー（５．１５）を、突合せ、緩く嵌合せて、脱着可能とする逆Ｕ字や下面開放の
2004313686.tif 000004
ラシュート玩具。
【請求項６】
パラシュート（１）の中央の頂部にスットパー（３４）を取り付けた請求項４および請求項５記載の投げ上げパラシュート玩具。
【請求項７】
ガイドプレート（３３）に糸穴を設け、ガイド糸（３２）を緩く貫通させ、このガイド糸（３２）の上端にストッパー（３４）を設ける。このストッパー（３４）でパラシュート（１）の頂部を軽く緊縮に係留する長さにしたガイド糸（３２）を設ける請求項１、２、３、および請求項５記載の投げ上げパラシュート玩具。
【請求項８】
ガイドプレート（３３）と緩衝カバー（５．１５）の間のガイド糸（３２）にガイド糸ストッパー（３５）を取り付けた請求項５および請求項７記載の投げ上げパラシュート玩具。
【請求項９】
複数の糸（２）を纏めて装着するハーネス（４１）を設けて、このハーネス（４１）をステイック（３．１３．２３）に装着する請求項１、２、３、４、５、６、７および請求項８記載の投げ上げパラシュート玩具。
【発明の詳細な説明】
【０００１】
【発明の属する技術分野】
本発明は、投げ上げパラシュート玩具に関する。
【０００２】
【従来の技術】従来の投げ上げパラシュート玩具は、パラシュートと重しとこれを結合する複数の糸からなっている。
【０００３】
【発明が解決しようとする課題】
従来の投げ上げパラシュート玩具にあっては、折り畳んだパラシュートに、複数の糸を巻き付け、重しを挟んで投げ上げるなどをしている。
投げ上げたパラシュートは折り畳んだパラシュートの空気抵抗で十分な高さに達しないや、開傘時機がまちまちで、開傘しないでそのまま落下するなどで興味が長続きせず玩具として普及していない。
【０００４】
この発明は、パラシュートに軽量な中空体の短管でなるステイックを、複数の糸を介して吊下し、このステイックのなかに、水や金属球などの重しを容易に移動可能に封入したもである。
投げ上げに当たっては、折纏めたパラシュートとステイックの末端を同時に持って、投げ上げる
投げ上げが容易で、高くに達する快感と、高空で開いて浮遊落下するパラシュートを楽しむ投げ上げパラシュート玩具を提供することを目的としている。
【０００５】
【課題を解決するための手段】
上記目的を達成するために、本発明の投げ上げパラシュート玩具においては、柔軟なシートで円形または多角形に形成したパラシュートの中央部に、ほぼ等間隔に設けた複数の糸を介してステイックを吊下して取り付けたものである。
【０００６】
上記ステイックは、投げ上げ前に、パラシュートの中に糸ごと押し込み、パラシュートの中心にその先端を当てて、パラシュートを纏めて添わせるが、この時、ステイックはパラシュートの末端より、長くするのが効果的である。
【０００７】
糸は、ステイックの首部に纏めて装着し、パラシュートを纏めて添わせた時、パラシュートの末端からはみ出さない長さにする。
さらに、糸はパラシュートの開傘に十分な長さにする。
【０００８】
また、ステイックには重しとなる水やボウルを空気と一緒に封入し、この重しがステイック内を容易に移動できるようにする。
【０００９】
また、このステイックは別に次のようにすることが出来る。ステイックの下端に弾性体からなるスポイドを取り付け、上端は調整口を設ける。これに萎縮したバルーンを被せて装着する水管にして水と空気を封入する。
その上、バルーンを包み込む緩衝カバーを頭部に取り付けて、バルーンの拡張空間を確保し、さらに、何かにうち当たった時の安全確保とする。
【００１０】
また、上記スポイド付水管と同じに構成したステイックの上部管側に吐出口を設け、この外側に弾性体よりなるチューブを被せて逆止弁とし、バルーンと緩衝カバーを取り付けることが有効である。
【００１１】
さらにまた、ステイックの中を円滑に移動する重し、例えば金属球を封入して重しとし、これをパラシュートに吊下げて取り付けることもできる。
【００１２】
パラシュートの中央にガイドプレートを装着し、これにガイド糸を取り付ける。また、ガイド糸の他端はステイックの頭部または緩衝カバーに装着する。
ガイド糸の長さは、パラシュートの開傘時に、その頂部をわずかに緊縮に係留する長さにするのが好ましい。
【００１３】
ガイドプレートの下部にステイックの頂部の緩衝カバーを、突合せ、緩く嵌
2004313686.tif 000003
設けると良い。
【００１４】
ガイドプレートに糸穴を設け、ガイド糸を緩く貫通させ、ガイド糸の上端にストッパーを設ける。このストッパーでパラシュートの頂部を軽く緊縮に係留するガイド糸の長さにしたものである。
【００１５】
緩衝カバーは開傘に際して、パラシュートの内面と接触して滑るので、表面が滑らかで中空軽量な合成樹脂材などで作ると効果的である。
【００１６】
ガイドプレートと緩衝カバーの間のガイド糸にガイド糸ストッパーを取り付けることが出来る。
【００１７】
柔軟なシート状のハーネスを設けて、パラシュートの複数の糸を、これに装着し、このハーネスをステイックに装着するのが効果的である。
【００１８】
【発明の実施の形態】
発明の実施の形態を実施例にもとづき図面を参照して説明する。
図１において、柔軟なシートで形成する円形または多角形ののパラシュート１の外縁にほぼ等間隔で複数の糸２を取り付ける。
この糸２を介してパラシュート１の中央下部に重しを入れたステイック３を吊下げて取り付ける。
【００１９】
図２において、ステイック３内に水６と空気を封入し、ステイック３内を水６が容易に流動可能としている。
ステイック３の長さは、投げ上げ前に、パラシュート１の中にステイック３の頭部を挿入して当て、パラシュート１の末端より僅かに長くしている。
また、ステイック３に装着する複数の糸２はステイック３の首部に纏めて取り付け、パラシュート１に纏めて添わせた時、末端よりはみ出さない寸法にする。
ステイック３の頭部は緩衝カバー５を設け、下部には握り４を取り付ける。
【００２０】
図３および図４に示す実施例では、ステイック１３の下部にスポイド１４を取り付け、頭部には調整口１８を設け、さらにこれに、萎縮しているバルーン１７を被せて取り付けて重しとなる水６と空気を封入する。その上、この頭部全体に空気抜き１９をもつ緩衝カバー１５を被せている。
【００２１】
図５に示される実施例では、図３および図４の実施例に加えて、ステイック１３の上部管側に吐出口２０を設け、この外側に弾性体からなるチューブ２１を挿着して逆止弁を構成し、さらに、バルーン１７を被せたものである。
【００２２】
図６に示される実施例では、ステイック２３の中に重しとなるボウル１６（例えば金属球）を封入したものである。
【００２３】
図７および図８に示される実施例は、パラシュート１の中央に、ガイドプレート３３を装着したもので、ガイドプレート３３の下部はステイック３．１３に取り付けた緩衝カバー５．１５の頭部を、突き合わせ保持し、緩く嵌める下向きの受カップ３６を取り付ける。
また、この受カップ３６の中央にガイド糸３２を取り付け、ガイド糸３２の下端は緩衝カバー５．１５に装着する。
さらに、パラシュート１の上にはスポンジや毛玉などで作るストッパー３４を取り付ける。
ガイド糸３２は、パラシュート１の開傘時の頂点を軽くガイドプレート３３で抑える長さにする。
【００２４】
図９に示される実施例は、図７を実施した上で、ガイドプレート３３に糸穴を開け、ガイド糸３２を緩く貫通する、さらに、ガイド糸の上端にストッパー３４を取りつけたものである。
【００２５】
また、図９に示される実施例の中には、ステイック３に複数の糸２を柔軟なシート状のハーネス４１を用いて装着した実施例を示すものである。
さらに、緩衝カバー５とガイドプレート３３の間のガイド糸３２に、糸ストッパー３５を設けている。
【００２６】
図１０に示される実施例は、パラシュート１とハーネス４１の平面取付図を示したものである。
【００２７】
【発明の効果】
本発明は、以上説明したように構成されるので、以下に記載されるような効果を奏する。
【００２８】
重しの入ったステイックを使用する構造にしたことにより、パラシュートの中にステイックを挿入すると、ステイックと一緒に糸がパラシュートの中に繰り込まれ、絡まることもなく誰でも投げ上げ準備が簡単に完了する。
【００２９】
投げ上げ前に、先端を下に向けると、重しとなる水やボウルが先端に移動して前重心となり、そのまま投げ上げが可能となる。
投げ上げは、パラシュートとステイックの末端を同時に持って、スイングして投げ上げる
ステイックの長さで投げ上げが容易になり、より大きな慣性モーメントを得て上空に達する。
【００３０】
重しがパラシュートを吹流して上昇するにつれ速度が失われ、パラシュートにかかる空気抵抗と重力変化によりステイック内の水やボウルが移動し、重心が下方に変化する。
より大きい空気抵抗を受けるパラシュートの中から、ステイックが離脱して落下すると、複数の糸を介してパラシュートを牽引して開傘させ、浮遊しながら落下する。
【００３１】
また、ステイックの後端にスポイドと先端に萎縮したバルーンを取り付けた構造にする投げ上げパラシュートは、先端を下に向けると水が先方に集まり、そのままスポイドを押圧すると、水だけがバルーン内に移動する。
そのままパラシュートを準備して投げ上げると、飛行中にバルーンの収縮力とスポイドの復元拡張力で水がバルーンから還流する。
この速度を調整口の大きさとで制御すると、上空で重心が変化し、パラシュートを開傘させ、浮遊落下させることが出来る。
【００３２】
さらに、バルーンに挿入したステイック管側に吐出口を設け、この上に弾性体からなるチューブを被せて一方通行の逆止弁を設けると、バルーン内への水の圧入が調整口からにプラスされるので容易になる。
【００３３】
ステイック内の重しにボウル（例えば金属球）を封入する構造にすると、水漏れの心配もなく構造が簡単となる。
【００３４】
パラシュートの中央頂部にストッパーを取り付ける構造とすると、これを掴んでパラシュートの取り扱いが出来るので便利である。
また、パラシュートが何かに衝突するような際、このストッパーがパラシュート玩具と被衝突物を保護する。
さらにまた、吹流して上昇する際、パラシュートの弾頭となって空気を整流する。
【００３５】
緩衝カバーはストッパーと同様、飛翔中に何かに衝突した場合、ステイックを保護すると同時に被衝突物を保護する。
緩衝カバーは開傘に際して、パラシュートの内面と接触して滑るので、表面が平滑な中空軽量な合成樹脂材などで作ると、抵抗が小さくなり開傘に効果的である。
特に緩衝カバー１５の場合は、内包するバルーンの拡張空間をも確保する中空体とするので効果的である。
【００３６】
パラシュートの中央でガイドプレートの下に、緩衝カバーの頭部を、突き合わせ保持し、緩く嵌める構造の下向きの受カップを設けると、投げ上げ前に、これに合せれば、簡単に位置決めができ、上昇中はこの受カップでパラシュートが保持され、さらに、上空ではステイックの離脱が容易となる。
【００３７】
また、パラシュートの中央下部のガイドプレートにガイド糸を設けて、ステイックを垂下して取り付ける構造にすると、外周に設けた複数の糸での懸垂に加え、パラシュートの天頂を引き下げて吊下するので、パラシュートの開傘面積が拡大し、浮遊時間が長くなる。
また、中央にガイド糸が芯線としてあるために、ステイックと外周の糸が絡まらない
【００３８】
その上、パラシュートの天頂部のガイドプレートに糸穴を設け、この糸穴にガイド糸を緩く貫通させ、パラシュートの上に出たガイド糸の上端にストッパーを取り付ける構造にすると、投げ上げ前に、このストッパーをもってパラシュートを持ちあげると、パラシュートの中にステイックを引き込み、糸も折り込まれるので、投げ上げ前準備が簡単に出来る。
投げ上げる時に、いつも中心が固定され、偏りがなくなるので、糸がはみ出さず握りが容易である。
【００３９】
さらにまた、このパラシュートを投げ上げると、パラシュートに随伴して飛翔するガイド糸とストッパーは、パラシュートが上空で失速するにつれ、方向舵となって反転姿勢制御を行い、ブレーキとなってステイック内の水やボウルを移動させ、パラシュートの離脱を容易にする。
【００４０】
さらにその上、緩衝カバーとパラシュートの間のガイド糸に、糸ストッパーを設けると、このパラシュートの失速時に、ストッパーの空気抵抗で牽引されるガイド糸に引かれて、糸ストッパーがガイドプレートを引き起こし、パラシュートを牽引して離脱を容易にする。
【００４１】
ステイックに複数の糸を取り付けるのに、柔軟なシート状のハーネスを用いると、糸の結合場所が広くなるので、それぞれの位置に糸を取り付けやすい。
また、柔軟なシートとするため、ステイックに装着するパラシュートの動きに合わせて屈折し、糸の柔軟な動きが得られる。
さらにまた、パラシュートが展開した時、糸が整理されるので絡みが防止ができる。
その上、パラシュートを牽引して開傘させる時、折り畳まれたままのパラシュートへ空気を整流して送り込み、開傘を助ける。
【００４２】
【図面の簡単な説明】
【図１】パラシュートとステイックの取り付け例を示す縦面図である。
【図２】図１のステイック部の拡大側面断面図である。
【図３】取り付け第２例を示す一部切開縦面図である。
【図４】図３のステイック部の拡大一部切開図である。
【図５】部品追加した図４の一部拡大、一部切開断面図である。
【図６】ボウルを重しとしたステイックの縦面断面図である。
【図７】部品追加の第１実施例の縦一部切開図である。
【図８】部品追加の第２実施例の縦一部切開図である。
【図９】図７に、さらに部品追加した縦一部切開図である。
【図１０】パラシュートとハーネスの平面取付図である。
【００４３】
【符号の説明】
１                パラシュート
２                糸
３．１３．２３．  ステイック
４                握り
５．１５．        緩衝カバー
６                水
１４                スポイド
１６                ボウル
１７                バルーン
１８                調整口
１９                空気抜き
２０                吐出口
２１                チューブ
３２                ガイド糸
３３                ガイドプレート
３４                ストッパー
３５                糸ストッパー
３６                受カップ
４１                ハーネス
【図１】
2004313686.tif 000005
【図２】
2004313686.tif 000006
【図３】
2004313686.tif 000007
【図４】
2004313686.tif 000008
【図５】
2004313686.tif 000009
【図６】
2004313686.tif 000010
【図７】
2004313686.tif 000011
【図８】
2004313686.tif 000012
【図９】
2004313686.tif 000013
【図１０】
2004313686.tif 000014
【手続補正書】
【提出日】平成16年1月14日(2004.1.14)
【手続補正１】
【補正対象書類名】明細書
【補正対象項目名】全文
【補正方法】変更
【補正の内容】
【特許請求の範囲】
【請求項１】パラシュート（１）に複数の糸（２）を介して、中空体からなるステイック（３）をパラシュート（１）の中央部に吊下して取り付ける。
ステイック（３）の中には、流動可能な錘（５）を封入した投げ上げパラシュート玩具。
【請求項２】パラシュート（１）の中央部の下にステイック（３）の先端を、突合せ、緩く嵌合せて、脱着可能とする逆Ｕ字や下面開放のカップの形状をした軽量なステイック受（４）を設けた、請求項１記載の投げ上げパラシュート玩具。
【請求項３】ステイック（３）の上部に複数の糸（２）を纏めて装着するハーネス（７）を設け、この糸（２）を介してパラシュート（１）を装着する請求項２記載の投げ上げパラシュート玩具。
【請求項４】ステイック（３）の先端にガイド糸（８）を取り付け、その他端はパラシュート（１）に装着したステイック受（４）に取り付ける。
このガイド糸（８）は、パラシュート（１）の開傘時に、その頂部をステイック受（４）で軽く緊縮に係留する長さにした請求項３記載の投げ上げパラシュート玩具。
【請求項５】パラシュート（１）の中央の頂部にヘッド（９）を取り付けた請求項４記載の投げ上げパラシュート玩具。
【請求項６】パラシュート（１）の外側の肩部に、頂部に向かって開いた角度で、翼（１０）を装着した請求項５記載の投げ上げパラシュート玩具。
【発明の詳細な説明】
【０００１】
【発明の属する技術分野】
本発明は、投げ上げパラシュート玩具に関する。
【０００２】
【従来の技術】従来の投げ上げパラシュート玩具は、パラシュートと錘とこれを吊下して結ぶ複数の糸からなっている。
また、先願調査によると、以下に記す関連出願がなされている。
１、公開実用新案公報  昭６３−３２５９３
考案の名称      飛傘玩具
２、実用新案登録第３５４４４０号
玩具落下傘
上記先願を調査すると、
１の新案は、本出願の請求項１に関連するもので、傘骨を有する飛傘玩具の頂部に結合した支柱内に、錘を上下動可能に設けたもので、傘骨を持たない本出願と異なる。
２の新案は、本出願の請求項４に関連するもので、中央吊棒（吊糸）を傘体の頂部中央に結着したもので、パラシュートとステイッキが中央に結着したガイド糸を介し、接合、離脱して作用する本出願と異なる。
【０００３】
【発明が解決しようとする課題】
従来の投げ上げパラシュート玩具にあっては、遊ぶ時に、折り畳んだパラシュートに、錘を吊す複数の糸を巻き付け、その折り目に錘を挟んで投げ上げるなどをしている。
また、先願を公報で調べて見ると、錘を二分割する箱体で作り、パラシュートを折り畳んでこれに入れ、組み合わせて紐やバネで閉じて投げ上げるなどをしている。
投げ上げたパラシュートは、折り畳んだパラシュートの空気抵抗で十分な高さに達しないや、開傘時機がまちまちで、開傘しないでそのまま落下する。
さらに、構造が複雑であるや、安全な取り扱いができないなどの問題点があり、興味が長続きせず、玩具として普及していない。
【０００４】
本発明は、パラシュートの錘に、軽量な中空体の短管でなるステイックを用いる。
投げ上げ前準備が簡単で、下手投げでスイングすると、遠心力で錘がステイック内を自動的に前に移動し、前重心となって、パラシュートを吹き流して上昇する。
さらに、腕の長さにステイックの長さが延長されるので、投げ上げモーメントが増し、高くに達する。
また、上空に達した後、下降に転ずると、質量の大きい錘がステイック内を落下し、ステイックの重心が下方に変化する。こうして、パラシュートからステイックが離脱し、空気抵抗の大きいパラシュートを牽引して、開傘させる。
【０００５】
構造と操作が簡単で、低コストで提供でき、上空に達する快感と、高空で開いて浮遊を楽しみ、さらに、遊戯中の不慮の衝突に対して、二重、三重に安全に配慮した投げ上げパラシュート玩具を提供することを目的としている。
【０００６】
【課題を解決するための手段】
上記目的を達成するために、本発明の投げ上げパラシュート玩具においては、軽量で柔軟なシートで円形または多角形に形成したパラシュート１の外縁に、ほぼ等間隔に設けた複数の糸２を介して軽量な中空体からなるステイック３を中央部に吊下して取り付けたものである。
また、ステイック３の中には、流動可能な錘５を封入する。
【０００７】
上記軽量で中空体からなるステイック３は、重量バランスを得るため、３分割して、前部にステイック・ノーズ３１、中間部に錘５を入れるステイック・シリンダー３２を設け、さらに、下部にステイック・グリップ３３を設け、相互に挿着して、全体でステイック３を構成する。
ステイック・シリンダー３２は中に錘５を移動自在に入れて、その両端はストッパーを設け、錘５を封止する。
【０００８】
ステイック３は、パラシュート１の開傘に際して、パラシュート１の内面と接触して滑るので、抵抗が少なく表面が滑らかな、中空軽量な合成樹脂材などで作ると効果的である。
また、遊戯中に起こる不慮の衝突に際し、被衝突物と本体を保護するために、やや軟質な弾性のある物が良い。
ステイック３は先端をステイック受４に突当て、折り畳んだ時、パラシュートの末端より僅かに出る長さにするが望ましい。
【０００９】
ステイック３に装着する複数の糸２は、ステイック３の先を余して首部に装着すると、絡み易い糸の長さが短縮され、パラシュート１にステイック３を挿入するセット操作がやりやすい。
また、糸２はパラシュート１を開傘するのに十分な長さでありながら、パラシュート１の中に繰り込だ時に、糸２の末端が折纏めたパラシュート１の端からはみ出さない長さにするのがよい。
【００１０】
上記パラシュート１の中央部の下に逆Ｕ字や下面開放のカップの形状をした軽量なステイック受４を設けて、ステイック３の先端を、突合せ、緩く嵌合せて、脱着可能とする。
【００１１】
複数の糸２をステイック３に纏めて装着するために、柔軟でそれぞれの糸に対応する放射状の腕をもつハーネス７を設けて、これを首部に装着すると、糸２とステイック３が接続しやすい。
また、開傘時にパラシュート１がステッキ３に正対する位置に速やかに誘導され、投げ上げ操作とパラシュート１の開傘に有効である。
【００１２】
ステイック受４にガイド糸８を取り付け、そのガイド糸８の他端はステイック３の先端に取り付ける。
ガイド糸８の長さは、パラシュート１の開傘時に、その頂部をステイック受４を通して僅かに押さえる長さにして、ステイック３の先端に係留すると良い。
【００１３】
パラシュート１の中央の頂部にヘッド９を取り付ける。
【００１４】
パラシュート（１）の外側の肩部に、頂部に向かって開いた翼（１０）を装着する。
【００１５】
【発明の実施の形態】
発明の実施の形態を実施例にもとずき図面を参照して説明する。
図１において、投げ上げパラシュート玩具のパラシュー１に複数の糸２を介してステイック３を吊下して装着する。また、ステイック３内には錘５を封入している。
その上、パラシート１の中央部の下にステイック受４を設けている。
【００１６】
図２において、ステイック受４の構造を示し、上は断面図であり、下に示すものは底面図である。
下面開放のカップの形状をした軽量なステイック受４を設けている。
【００１７】
図３はステイック３の構造をを示し、中間にステイック・シリンダー３２を設け、中に錘５を移動自由に入れて、両端をストッパーで封止する。
このステイック・シリンダー３２の先にステイック・ノーズ３１を挿着している。
また、後方には握り６を持つステイック・グリップ３３を挿着して、全体で重量バランスを得たステイック３を構成する。
中に入れる錘５は、粘性の小さい水などの液体、移動しやすい乾燥砂、金属や樹脂製またはガラスなどの球や棒なども使用可能である。
また、パラシュート１を繋ぐ複数の糸２は、ステイック３の首部に纏めて装着するのが有効である。
【００１８】
図４において示した実施例は、、複数の糸２をステイック３に装着するのに、ハーネス７をステイック３の首部に装着するもので、このハーネス７は軽く柔軟なフィルムで放射状に腕を形成したもので、この腕のそれぞれにパラシュート１に繋がる糸２を装着する。
【００１９】
図５に示すのは、パラシュート１とハーネス７とを繋ぐ糸２を示した実施例である。
ハーネス７の中央には、ステイック３の径に合わせた放射状の切り込みを設け、この切り込みをステイック３の外周に沿わせて装着する。
【００２０】
図６に示すものは、パラシュート１にステイック３を複数の糸２で吊下するのに加え、中心にガイド糸８を設けた実施例で、ステイック３の先端にガイド糸８を繋ぎ、このガイド糸８の多端をステイック受４に繋いだものである。
このガイド糸８は、パラシュート１が開傘した時の頂点を僅かに緊縮に押さえる長さにする。
また、パラシュート１の天頂に軽量なヘッド９を設けた実施例である。
【００２１】
図７に示すものは、パラシュート１の肩部に翼１０を設けたもので、折り畳んだパラシュート１への装着を示している。
【００２２】
図８に示すものは、図７に示したパラシュート１の肩部に翼１０を設けたものを、一部拡大して側面を示すものである。
飛行方向に向かって開いている台を用いて翼１０に揚力を生じる。
【００２３】
【発明の効果】
本発明は、以上説明したように構成されるので、以下に記載されるような効果を奏する。
【００２４】
錘を移動可能に入れたステイックを使用する構造にしたので、開いたパラシュートの中にステイックを挿入すると、ステイックと一緒に糸がパラシュートの中に繰り込まれ、絡まることもなくステイックに沿って、パラシュートを折纏めるので投げ上げ前の準備が簡単に完了する。
糸をステイックの首部に装着することにより、糸の長さが短くなり、パラシュートを折り込む操作を容易にしている。
また、この玩具をコンパクトにする。
【００２５】
ステイック受をパラシュートの頂部下に設けたことにより、これに差し込むステイックの位置決めが簡単で、パラシュートの折り畳み操作や投げ上げ操作が容易になった。
上昇中のパラシュートは、このステイック受でステイックが保持され、さらに、上空ではステイックの離脱が容易となる。
また、操作中にステイックの先端がパラシュートを突き破ることが防止できる。
【００２６】
投げ上げは、パラシュートとステイックの末端を同時に持って、下手投げスイングで投げ上げる。
腕の長さにステイックの長さが加わるので投げ上げが容易になり、より大きな慣性モーメントを得て上空に達する。
【００２７】
ステイックの末端に握りを設けたことにより、パラシュートと一緒に投げ上げるのに有効である。
また、折り畳んだパラシュートの末端よりステイックの末端を、僅かに長くすると、上空での転換時に、ステイックが先導桿となってパラシュートがステイックに絡まず、ステイックが空中で円滑に離脱する。
【００２８】
ステイックとパラシュートとを一緒に握り、ステイックの先端を下に向けると、ステイック内の錘が自動的に前方に移動し、前重心になる。
そのままスウイングして投げ上げると、前重心のステイックがパラシュートを吹流して上昇する。
【００２９】
上昇中のステイック内の錘の位置が前過ぎると、パラシュートを吹流して上昇したままの前重心で落下に移り、放物線をえがいて開傘せずに落下する。
また、錘の位置が後過ぎると、パラシュートを吹流す飛行姿勢ができず、高くに達しない。。
ステイック内の錘の位置は、ステイックを構成するステイック・ノーズの長さで規定する。
【００３０】
パラシュートを吹流して上空に達し、無重力となり、次に下降に移ると、質量の大きい重しがステイック内を落下し、ステイックがパラシュートより離脱して空気抵抗の大きいパラシュートを牽引して開傘させる。
ステイック・シリンダー内の錘の移動距離が長いと、開傘までに時間がかかり、自由落下距離が大きくなり高くで開傘しない。
ステイック・シリンダーの長さを規定して、錘の落下距離を制限すると速やかな開傘が得られる。
【００３１】
ステイックに複数の糸を取り付けるのに、柔軟なシート状のハーネスを用いると、パラシュートが展開した時、糸が正しい位置に瞬時に誘導整理されるので開傘が早い。
また、柔軟なシートとするため、パラシュートの動きに合わせた糸の柔軟な動きが得られ、絡みが防止ができる。
さらにまた、糸の結合場所が広くなるので、それぞれの位置に糸を取り付けやすい。
【００３２】
ステイックがパラシュートより離脱すると、最初にガイド糸が緊張し、次いで、外周に設けた複数の糸が触発されて速やかに開傘する。
ガイド糸は、開傘に際し、センターで折り畳んだパラシュートの芯線となるので、外周の糸が絡まらない。
また、パラシュートの天頂を引き下げるので、パラシュートの開傘面積が拡大し、浮遊時間が長くなる。
【００３３】
パラシュートにヘッドを取り付けた構造にすると、吹流して上昇する際、パラシュートの弾頭となって空気を整流し、上空に達する。
ヘッドの材質は、軽量な発砲スチロールや合成樹脂で中空軽量に形成したもので良く、このパラシュート玩具が飛行中に誤って何かに衝突するような際、このヘッドが緩衝材となって衝突物とパラシュート玩具とを保護する。
さらにまた、これを掴んでパラシュートの取り扱いが出来るので操作に便利である。
【００３４】
空中でのパラシュートの開傘の確立を上げるために、パラシュートの肩部に翼を設ける、この翼は、ステッキに纏めたパラシュートの軸線に対し、進行方向に角度の開いた台で取り付け、翼で揚力を生じる。
上昇中のパラシュートの翼の装着部を、生じた揚力で横に引っ張り、重しの推進力が失われる上空で、飛行中のパラシュートとステッキのバランスを崩し、ステッキを離脱させる引き金となり、開傘の確立を上げる。
【図面の簡単な説明】
【図１】パラシュートとステイックの取り付け例を示す縦面図である。
【図２】図１のステイック受の拡大側面断面図と底面図である。
【図３】ステイック部の拡大一部切開図である。
【図４】ハーネスを追加した一部拡大、一部切開断面図である。
【図５】パラシュートとハーネスの平面取付図である。
【図６】ガイド糸を追加した縦一部切開図である。
【図７】折り畳んだパラシュートと翼の取り付け例を示す縦面図である。
【図８】図７に示す側面図で一部カット図である。
【００４３】
【符号の説明】
１                パラシュート
２                糸
３                ステイック
３１              ステイック・ノーズ
３２              ステイック・シリンダー
３３              ステイック・グリップ
４                ステイック受
５                錘
６                握り
７                ハーネス
８                ガイド糸
９                ヘッド
１０                翼


【手続補正２】
【補正対象書類名】図面
【補正対象項目名】全図
【補正方法】変更
【補正の内容】
【図１】
2004313686.tif 000015
【図２】
2004313686.tif 000016
【図３】
2004313686.tif 000017
【図４】
2004313686.tif 000018
【図５】
2004313686.tif 000019
【図６】
2004313686.tif 000020
【図７】
2004313686.tif 000021
【図８】
2004313686.tif 000022